(57)【要約】【課題】一連の時系列情報の推移を示すことができ、かつその推移を携帯電話機によって判読させることが可能なモニタ装置、モニタシステムおよびモニタ方法を提供する。【解決手段】本発明は、時系列情報の推移を携帯電話機の仮想マシンによってモニタさせるモニタ装置であって、特定の携帯電話機から、マシンリクエストに関する情報を受信することにより、前記携帯電話機に仮想マシンをインストールする仮想マシンダウンロード手段と、前記携帯電話機の仮想マシンから、設定様式のデータリクエストに関する情報を受信すると、時系列情報が蓄積されたデータベースを検索することにより、該当する補充データを前記仮想マシンに転送して、携帯電話機における保存データの不足分を補充させる時系列情報配信手段とを備えている。【選択図】　　　図１
2004046726.tif 000002
【特許請求の範囲】
【請求項１】
時系列情報の推移を携帯電話機の仮想マシンによってモニタさせるモニタ装置であって、
特定の携帯電話機から、マシンリクエストに関する情報を受信することにより、前記携帯電話機に仮想マシンをインストールする仮想マシンダウンロード手段と、
前記携帯電話機の仮想マシンから、設定様式のデータリクエストに関する情報を受信すると、時系列情報が蓄積されたデータベースを検索することにより、該当する補充データを前記仮想マシンに転送して、携帯電話機における保存データの不足分を補充させる時系列情報配信手段とを備えたことを特徴とするモニタ装置。
【請求項２】
前記時系列情報は、環境放射線に関するデータであって、時間経過とともに推移するグラフとして表示されることを特徴とする請求項１記載のモニタ装置。
【請求項３】
前記時系列情報は、気象観測に関するデータであって、時間経過とともに推移するグラフとして表示されることを特徴とする請求項１または２記載のモニタ装置。
【請求項４】
前記仮想マシンダウンロード手段は、登録ユーザの個人情報が蓄積された別のデータベースに、あらかじめ携帯電話機に固有の情報を登録しておくことにより、インストールされる携帯電話機を特定していることを特徴とする請求項１〜３のいずれかに記載のモニタ装置。
【請求項５】
前記時系列情報配信手段は、仮想マシンがマップイメージから選択したモニタ対象につき、その時系列情報を補充データに含んでいることを特徴とする請求項１〜４のいずれかに記載のモニタ装置。
【請求項６】
請求項１〜５のいずれかに記載のモニタ装置が、デジタル通信ネットワークを通じて、少なくとも一つの携帯電話機と接続可能であることを特徴とするモニタシステム。
【請求項７】
時系列情報の推移を携帯電話機の仮想マシンによってモニタさせるモニタ方法であって、
特定の携帯電話機から、マシンリクエストに関する情報を受信することにより、前記携帯電話機に仮想マシンをインストールする仮想マシンダウンロードステップと、
前記携帯電話機の仮想マシンから、設定様式のデータリクエストに関する情報を受信すると、時系列情報が蓄積されたデータベースを検索することにより、該当する補充データを前記仮想マシンに転送して、携帯電話機における保存データの不足分を補充させる時系列情報配信ステップとを備えたことを特徴とするモニタ方法。
【請求項８】
前記時系列情報は、環境放射線に関するデータであって、時間経過とともに推移するグラフとして表示されることを特徴とする請求項７記載のモニタ方法。
【請求項９】
前記時系列情報は、気象観測に関するデータであって、時間経過とともに推移するグラフとして表示されることを特徴とする請求項７または８記載のモニタ方法。
【請求項１０】
前記仮想マシンダウンロードステップは、登録ユーザの個人情報が蓄積された別のデータベースに、あらかじめ携帯電話機に固有の情報を登録しておくことにより、インストールされる携帯電話機を特定していることを特徴とする請求項７〜９のいずれかに記載のモニタ方法。
【請求項１１】
前記時系列情報配信ステップは、仮想マシンがマップイメージから選択したモニタ対象につき、その時系列情報を補充データに含んでいることを特徴とする請求項７〜１０のいずれかに記載のモニタ方法。
【請求項１２】
請求項７〜１１のいずれかに記載の方法をコンピューターに実行させるためのプログラム。
【請求項１３】
請求項７〜１１のいずれかに記載の方法をコンピューターに実行させるためのプログラムが記録されていることを特徴とするコンピューター読み取り可能な記録媒体。
【発明の詳細な説明】
【０００１】
【発明の属する技術分野】
本発明は、モニタ装置、モニタシステムおよびモニタ方法に係り、たとえば、環境放射線データのリモート監視などに適用可能なモニタ装置、モニタシステムおよびモニタ方法に関する。
【０００２】
【従来の技術】
従来より、放射線研究施設の安全管理室などにおいて、遠隔地の環境放射線量に関するデータを監視するシステムが知られている。たとえば、ｉモード（商標）などの通信ネットワークによって携帯電話機をシステムサーバと接続させ、警報メッセージを転送するものがある。このシステムでは、環境放射線データの監視が広域において行なえる環境を提供することにより、日頃から防災関係者が現場環境に対する影響の有無を判断できるとともに、万一の緊急時などには、同報通信によって迅速な対応処理を展開できるようになっている。
【０００３】
【発明が解決しようとする課題】
ところが、上述したような従来技術においては、次のような課題があった。
環境放射線を適切に監視するためには、たとえば、外来のα粒子や一般機器由来の電磁波による瞬時値に惑わされることなく、また、自然放射線による局地的な暗ノイズ成分の影響を除いて、相対的に、かつ時間的な推移として影響を判断することが求められる。前記システムでは、パケット交換による通信ネットワークを介してインターネットと接続することにより、安全管理室などのローカルエリアネットワークから、ｉモード対応の携帯電話機に対してテキスト形式による文書を送信している。このようにテキスト形式の電子メールや数表を携帯電話機で受信するようにしても、現場の慌しさに紛れる場合には、個々の数字から環境放射線データの推移を直ちに判読することが困難であった。
【０００４】
本発明は、上記事情に鑑みて為されたもので、一連の時系列情報の推移を示すことができ、かつその推移を携帯電話機によって判読させることが可能なモニタ装置、モニタシステムおよびモニタ方法を提供することを目的とする。
【０００５】
【課題を解決するための手段】
上記目的を達成するために、本発明の請求項１記載のモニタ装置は、時系列情報の推移を携帯電話機の仮想マシンによってモニタさせるモニタ装置であって、特定の携帯電話機から、マシンリクエストに関する情報を受信することにより、前記携帯電話機に仮想マシンをインストールする仮想マシンダウンロード手段と、
前記携帯電話機の仮想マシンから、設定様式のデータリクエストに関する情報を受信すると、時系列情報が蓄積されたデータベースを検索することにより、該当する補充データを前記仮想マシンに転送して、携帯電話機における保存データの不足分を補充させる時系列情報配信手段とを備えたことを特徴とする。
【０００６】
請求項１に記載の発明においては、モニタ装置へのアクセスに伴って携帯電話機からマシンリクエストが送信されると、仮想マシンダウンロード手段により、そのマシンリクエストが解読されて仮想マシンが携帯電話機にインストールされる。たとえば、システムサーバのファイル装置に、あらかじめ仮想マシンのダウンロードファイルを格納すればよく、さらに、常に正当な出所から最新版のファイルをダウンロードすることが可能となる。
また、仮想マシンがモニタ装置にアクセスしてデータリクエストを送信すると、時系列情報配信手段により、データリクエストの内容が解読され、該当するデータベースと、その検索キーなどとを設定することにより、仮想マシンが要求する補充データを転送する。これにより、データベース検索、モニタ装置との接続手順などを登録ユーザが意識することなく、携帯電話機に所要の補充データを転送することができる。そして、補充データが保存データの不足分を充足することにより、設定時間内の時系列情報が一連のものとして整えられ、時系列情報の推移を示すように編成される。このように一連の時系列情報について、設定時間内の推移を各携帯電話機によりモニタさせる場合に、処理負担が各携帯電話機に分散されるので、モニタ装置の負担を軽減させることが期待できる。このようなモニタ装置として、同一の通信ネットワーク上に設けられたものと、たとえば移動体通信の通信サーバを介して、インターネット上に設けるものとが挙げられる。
【０００７】
請求項２記載のモニタ装置は、請求項１記載の装置において、前記時系列情報は、環境放射線に関するデータであって、時間経過とともに推移するグラフとして表示されることを特徴とする。
【０００８】
請求項２記載の発明においては、外乱の排除が重要になる環境放射線の観測において、グラフによるトレンド表示を実現することができる。
【０００９】
請求項３記載のモニタ装置は、請求項１または２記載の装置において、前記時系列情報は、気象観測に関するデータであって、時間経過とともに推移するグラフとして表示されることを特徴とする。
【００１０】
請求項３記載の発明においては、気象観測における観測データにつき、グラフによるトレンド表示を実現することができる。
【００１１】
請求項４記載のモニタ装置は、請求項１〜３のいずれかに記載の装置において、前記仮想マシンダウンロード手段は、登録ユーザの個人情報が蓄積された別のデータベースに、あらかじめ携帯電話機に固有の情報を登録しておくことにより、インストールされる携帯電話機を特定していることを特徴とする。
【００１２】
請求項４記載の発明においては、あらかじめモニタ装置における別のデータベースに、登録ユーザの個人情報と対応付けて携帯電話機に固有の情報を登録しておく。登録ユーザが、携帯電話機からモニタ装置にアクセスしてマシンリクエストを送信すると、前記別のデータベースにおいて、仮想マシンダウンロード手段により、その携帯電話機に固有の情報が登録ユーザのものであるか照合する。これにより、携帯電話機によるアクセスを登録ユーザに限って許可し、たとえば、モニタ装置の管理者が書類審査を行なう段階などを別途に設ければ、オンライン処理によるバーチャルな審査に頼らない非登録ユーザ利用制限を行なうこともできる。
【００１３】
請求項５記載のモニタ装置は、請求項１〜４のいずれかに記載の装置において、前記時系列情報配信手段は、仮想マシンがマップイメージから選択したモニタ対象につき、その時系列情報を補充データに含んでいることを特徴とする。
【００１４】
請求項５記載の発明においては、モニタ対象を登録ユーザに視覚的に指示させ、かつ、これが仮想マシンにより的確に通知されるので、緊急時などにおける登録ユーザの操作負担を軽減させることができる。
【００１５】
請求項６記載のモニタシステムは、請求項１〜５のいずれかに記載のモニタ装置が、デジタル通信ネットワークを通じて、少なくとも一つの携帯電話機と接続可能であることを特徴とする。
【００１６】
請求項６記載の発明においては、このような携帯電話機として、デジタル通信ネットワークに接続可能なものに適用でき、たとえば、パケット交換による移動体通信の対応機が挙げられる。
【００１７】
本発明の請求項７記載のモニタ方法は、時系列情報の推移を携帯電話機の仮想マシンによってモニタさせるモニタ方法であって、
特定の携帯電話機から、マシンリクエストに関する情報を受信することにより、前記携帯電話機に仮想マシンをインストールする仮想マシンダウンロードステップと、
前記携帯電話機の仮想マシンから、設定様式のデータリクエストに関する情報を受信すると、時系列情報が蓄積されたデータベースを検索することにより、該当する補充データを前記仮想マシンに転送して、携帯電話機における保存データの不足分を補充させる時系列情報配信ステップとを備えたことを特徴とする。
【００１８】
請求項７に記載の発明においては、携帯電話機から、アクセスに伴ってマシンリクエストが送信されると、仮想マシンダウンロードステップにおいて、そのマシンリクエストが解読されて仮想マシンが携帯電話機にインストールされる。たとえば、システムサーバのファイル装置に、あらかじめ仮想マシンのダウンロードファイルを格納すればよく、さらに、携帯電話機に解凍機能を設ければ、圧縮ファイルによるダウンロードも可能となる。
また、アクセスに伴って仮想マシンがデータリクエストを送信すると、時系列情報配信ステップにおいて、データリクエストの内容が解読され、該当するデータベースと、その検索キーなどとを設定することにより、仮想マシンが要求する補充データを転送する。これにより、データベース検索、モニタ方法との接続手順などを登録ユーザが意識することなく、携帯電話機に所要の補充データを転送することができる。そして、補充データが保存データの不足分を充足することにより、設定時間内の時系列情報が一連のものとして整えられ、時系列情報の推移を示すように編成される。これにより、一連の時系列情報につき、各携帯電話機による設定時間内の推移をモニタさせても、データベース検索、データ転送、通信管理など、システム管理上の負担を能率的に軽減でき、したがって、パケット交換による移動体通信において、時系列情報の推移が、たとえばグラフのトレンド表示としてモニタ可能になる。
このようなモニタ方法を実現するための装置として、同一の通信ネットワーク上に、また、たとえば移動体通信の通信サーバを介したインターネット上に、それぞれ備えられたシステムサーバに設けるものが挙げられる。その場合に、このシステムサーバを、通信量などの制約条件に応じてＷＥＢサーバと一体化することが望ましい。
【００１９】
請求項８記載のモニタ方法は、請求項７記載の方法において、前記時系列情報は、環境放射線に関するデータであって、時間経過とともに推移するグラフとして表示されることを特徴とする。
【００２０】
請求項８記載の発明においては、外乱の排除が重要になる環境放射線の観測において、グラフによるトレンド表示を実現することができる。
【００２１】
請求項９記載のモニタ方法は、請求項７または８記載の方法において、前記時系列情報は、気象観測に関するデータであって、時間経過とともに推移するグラフとして表示されることを特徴とする。
【００２２】
請求項９記載の発明においては、気象観測における観測データにつき、グラフによるトレンド表示を実現することができる。
【００２３】
請求項１０記載のモニタ方法は、請求項７〜９のいずれかに記載の方法において、前記仮想マシンダウンロードステップは、登録ユーザの個人情報が蓄積された別のデータベースに、あらかじめ携帯電話機に固有の情報を登録しておくことにより、インストールされる携帯電話機を特定していることを特徴とする。
【００２４】
請求項１０記載の発明においては、あらかじめデータベースに、登録ユーザの個人情報とともに携帯電話機に固有の情報を登録しておく。登録ユーザが、携帯電話機からアクセスしてマシンリクエストを送信すると、仮想マシンダウンロードステップにおいて、携帯電話機に固有の情報を別のデータベースにおいて登録ユーザのものと照合する。これにより、携帯電話機によるアクセスを登録ユーザに限って許可し、たとえば、管理者が書類審査を行なう段階などを別途に設ければ、オンライン処理によるバーチャルな審査に頼らない高いセキュリティ保護を保障することもできる。
【００２５】
請求項１１記載のモニタ方法は、請求項７〜１０のいずれかに記載の方法において、前記時系列情報配信ステップは、仮想マシンがマップイメージから選択したモニタ対象につき、その時系列情報を補充データに含んでいることを特徴とする。
【００２６】
請求項１１記載の発明においては、モニタ対象を登録ユーザに視覚的に指示させ、かつ、これが仮想マシンにより的確に通知されるので、緊急時などにおける登録ユーザの操作負担を軽減させることができる。
【００２７】
請求項１２記載のプログラムは、請求項７〜１１のいずれかに記載の方法をコンピューターに実行させるためのプログラムである。
【００２８】
請求項１２記載の発明においては、請求項７〜１１のいずれかに記載の方法をコンピューターに実行させることができる。
【００２９】
請求項１３記載の記録媒体は、請求項７〜１１のいずれかに記載の方法をコンピューターに実行させるためのプログラムが記録されていることを特徴とするコンピューター読み取り可能な記録媒体である。
【００３０】
請求項１３記載の発明においては、請求項７〜１１のいずれかに記載の方法をコンピューターに実行させることができる。
【００３１】
【発明の実施の形態】
以下、本発明の実施の形態を図面を参照して説明する。
図１は、本実施の形態に係るモニタシステムの概略構成例を説明するための図である。
本システムは、放射線研究施設などの環境監視員や防災関係者が、パケット交換の通信ネットワーク２０を通じて、所持する携帯電話機１０をインターネット４０と接続させることにより、ローカルエリアネットワーク（ＬＡＮ）６０上のシステムサーバ（モニタ装置）７０にアクセス可能になっている。このシステムサーバ７０には、ＷＥＢサーバが一体化して構成されているが、通信量などの制約条件に応じて、ＷＥＢサーバを別体化してもよい。ローカルエリアネットワーク６０は、放射線研究施設の安全管理室に設けたものであって、この通信ネットワーク上に環境放射線データベースサーバ（データベース）８０ａ、８０ｂが構築されているが、さらに別のローカルエリアネットワークを通じて接続させた構成でもよい。これらのローカルエリアネットワーク６０として、たとえば当該放射線研究施設または安全管理室のイントラネット、エクストラネットなどがある。
【００３２】
携帯電話機１０は、パケット交換による移動体通信に適用可能なものであって、たとえばｉモード（商標）対応機が挙げられる。この場合には、通信ネットワーク２０に設けたｉモードサーバ３０を介することにより、ｉアプリ（商標）によるＨＴＴＰ（ＨｙｐｅｒＴｅｘｔ　Ｔｒａｎｓｆｅｒ　Ｐｒｏｔｏｃｏｌ）通信を行うとともに、インターネット４０上のＷＥＢサーバ５０を通じて携帯電話機１０をシステムサーバ７０と接続させている。ｉアプリは、米国のＳｕｎＭｉｃｒｏｓｙｓｔｅｍｓ社が開発したＪ２ＭＥ（Ｊａｖａ２　ｐ１ａｔｆｏｒｍ，Ｍｉｃｒｏ　Ｅｄｉｔｉｏｎ）　ＣＬＤＣ（Ｃｏｎｎｅｃｔｅｄ　ＬｉｍｉｔｅｄＤｅｖｉｃｅ　Ｃｏｎｆｉｇｕｒａｔｉｏｎ）と、ＤｏＣｏＭｏ社が開発したｉモード拡張ライブラリ（ｉモード対応Ｊａｖａプロファイル）とで構成され、ＤｏＣｏＭｏ社製のｉモード対応機（５０３シリーズ以降）で動作するＪａｖａ（登録商標）プログラムをいう。また、ｉモード対応機のブラウザとなるネイティブアプリケーションインターフェイス上で仮想マシンとして運用される。Ｊ２ＭＥ　ＣＬＤＣは、家電製品や機器組込みデバイス向けのプラットフォームとなる。このｉモード拡張ライブラリには、ｉモード対応のユーザインターフェース、ＨＴＴＰ通信のためのネットワーキング、ＨＴＭＬのテキスト変換およびデータ用のスクラッチパッドなどの機能を含んでいる。ＨＴＴＰ通信は、ＴＣＰ／ＩＰの上位プロトコルとしてハイパーテキストを転送するための通信をいう。
【００３３】
システムサーバ７０は、図２に示すとおり、あらかじめ申請に基づいて登録された携帯電話機１０に対し、環境監視員からの要求に応じてＨＴＴＰ通信によりモニタマシン（仮想マシン）をダウンロードするモニタマシンダウンロード手段（仮想マシンダウンロード手段）７１と、ダウンロードが許される環境監視員を認証するユーザ認証手段７４と、環境監視員が必要とする環境放射線データ（時系列情報）を携帯電話機１０に配信する環境放射線データ配信手段（時系列情報配信手段）７５と、環境放射線データベースサーバ８０ａ、８０ｂから環境放射線データを収集するデータ収集手段７８とを有している。モニタマシンダウンロード手段７１は、モニタマシンのダウンロードファイルを転送するファイル転送部７２と、その転送制御につき携帯電話機１０による受付を行なうマシンリクエスト部７３とを有している。ファイル転送部７２は、ダウンロードファイルのためのファイル装置を備えている。現状では、モニタマシンがダウンロードソース以外のサーバにアクセスすることは認められないが、将来、これが認められる場合には、モニタマシンダウンロード手段７１を専用サーバに設けてもよい。ユーザ認証手段７４には、登録ユーザの個人情報を蓄積しておく登録ユーザデータベース（別のデータベース）７４１が含まれる。環境放射線データ配信手段７５は、携帯電話機１０に実装されたモニタマシンに応答するデータリクエスト部７６と、モニタマシンに対するデータ転送部７７とを有している。データ収集手段７８は、環境放射線データベースサーバ８０ａごとに、所定の検索パラメータにより検索が行なわれるデータベース（ＤＢ）検索部７９を含んでいる。たとえば、このようなデータベース（ＤＢ）検索部７９として、マイクロソフト社が提供するＡｃｔｉｖｅＸ技術要素群が挙げられる。
【００３４】
システムサーバ７０に対するユーザ登録内容は、環境放射線データを環境監視員のみに提供するセキュリティ確保のために、環境監視員の携帯電話機に関する携帯電話情報と、最小限の個人情報とを有している。このうち、携帯電話情報として、当該携帯電話機１０に固有の識別符号（固有の情報）、携帯電話機の電話番号およびメールアドレスがあり、たとえば、ｉモードサーバ３０により接続確認に用いる携帯電話機の製造番号、ＩＤなどを識別符合とすれば、環境監視員に所定の接続手順以外の操作を課すことが無いばかりか、万一の人為的な改ざんなどのおそれもない。また、ユーザ情報として、当該環境監視員の氏名、所属機関および部課を示す所属、連絡先の内線番号、インターネット上の電子メールアドレス、希望する配信対象の環境放射線データベースサーバ８０ａ、８０ｂを示す希望データベース、および備考からなっている。
【００３５】
図３は、システムサーバにおけるユーザ登録画面の表示例を示す図である。ユーザ登録画面７４２は、これら識別符号などの名称を表示する名称欄７４２ａ、各名称と対応させてキー入力内容を表示する入力欄７４２ｂ、内容例および文字数を表示する案内欄７４２ｃ、これらキー入力内容を登録ユーザデータベースに格納するための登録ボタン７４３、全てのキー入力内容を消去するためのリセットボタン７４４を有している。また、希望データベースの入力欄７４２ｂには、環境放射線データベースサーバ８０ａ、８０ｂごとにチェックボックスが設けられ、備考の入力欄７４２ｂには、安全管理室向けの要望事項などを自由に記述できるメッセージボックスが設けてある。このようなユーザ登録を、システムサーバ７０の管理者が、付属端末７０ａからまとめてキー入力するが、登録資格の審査を必要とする場合には、環境監視員が所定の申請手続きとともに直接に行なう構成にしてもよい。
【００３６】
次に、本実施の形態に係るモニタ方法の一例を説明する。先ず、モニタマシンのダウンロード処理について、図４に示すフローチャートの一例および図２に示すブロック図を参照しつつ説明する。
システムサーバ７０が、環境監視員の携帯電話機１０から新規のユーザアクセスを検出すると（ステップＳＴ１１）、ｉモードサーバ３０から携帯電話情報を取得し（ステップＳＴ１２）、携帯電話機１０のＩＤに基づいて登録ユーザデータベース７４１の登録内容と照合する（ステップＳＴ１３）。そして、ユーザ登録済みの携帯電話機１０であることが確認できた場合にのみ、ユーザアクセスに伴うマシンリクエストに関する情報（以下、マシンリクエストという。）に応答して、携帯電話機１０のためのアクセスキーを生成する（ステップＳＴ１４）。また、モニタマシンのダウンロードファイルを編成して転送し、携帯電話機１０にインストールをする（ステップＳＴ１５）。このときに、アクセスキーを携帯電話情報と対応付けて登録ユーザデータベース７４１に保存するとともに、当該携帯電話機１０のモニタ画面に表示して環境監視員に通知する。
【００３７】
続いて、携帯電話機１０におけるモニタ処理について、図５に示す一例のフローチャート、図６に示す表示処理例のフローチャートおよび図１の概略構成例を参照しつつ説明する。
モニタマシンが起動すると、環境監視員により携帯電話機１０に保存されたアクセスキーを検索する（ステップＳＴ２１）。これをシステムサーバ７０に転送し（ステップＳＴ２２）、登録ユーザデータベース７４１に基づくアクセス許可を取得する（ステップＳＴ２３）。これにより、あらかじめ設定または転送されたエリアマップ（マップイメージ）群から、一つまたは複数をモニタ画面に表示して、環境監視員が希望するモニタリング（局）などを指定させ（ステップＳＴ２４）、その環境放射線データのトレンドグラフ（グラフ）を表示する（ステップＳＴ３０）。このときに、現時点における環境放射線データの数値を、併せてテキスト形式で記述させてもよい（ステップＳＴ２６）。
【００３８】
トレンドグラフの表示（トレンド表示）（ステップＳＴ３０）では、該当する実行コマンドをモニタマシンが検出すると（ステップＳＴ３１）、たとえば、その時点における時刻データに基づいてタイムスタンプを参照することにより、携帯電話機１０のデータストレージ（ｉアプリにおけるスクラッチパッド）において、取得済みの保存データを検索する（ステップＳＴ３２）。未だ取得されていなかった最新版または過去ログの不足分については、その旨のデータリクエストに関する情報（以下、データリクエストという）を編成して補充データを要求する（ステップＳＴ３３）。システムサーバ７０から、この補充データを正常に取得できると（ステップＳＴ３４）、スクラッチパッドにおいて、これら保存データおよび補充データに基づいて、モニタ画面上にグラフイメージを展開する（ステップＳＴ３５）。これにより、メモリ容量が許容する長期間のトレンド表示を実現することができる。
【００３９】
図７は、モニタ画面におけるエリアマップの表示例を、また、図８は、同じくグラフイメージの表示例をそれぞれ説明するための図である。
このエリアマップ１０１では、あらかじめメモリ容量や通信速度に配慮しつつ、トレンド表示すべき局数をグルーピングして（図では７局）複数地区に配分しておく。各グループについて、その地区のモニタエリア１０１ａが模式的に描画できると、実際の局位置が容易に想起可能なように、各局１０１ｂ、１０１ｂ・・・のアイコンを配置する。番号入力キーなどの操作によって、カーソル１０２を特定の局１０１ｂに移動することにより、この局のグラフイメージを選択的に表示させることができる。
【００４０】
グラフイメージ１０３には、たとえば、γ線量率の１分積算値の推移を表示欄１０３ａに、また、同じ時間軸において雨量の推移を表示欄１０３ｂに表示している。また、時間軸上において、縦線および三角マークのカーソル１０６を移動することにより、現在および過去の年月日、時刻にさかのぼって特定の時点を指定し、そのときの数値を表示欄１０３ｃにテキスト形式で記述させ、また、風向を矢印などで表示するとともに、風速を数値で記述させることができる。たとえば、現時点から遡って半日程度のグラフイメージを表示することにより、携帯電話機１０のメモリ容量を節約しつつ実用的なモニタを行なえるが、全てのメモリ領域を消費可能であれば２ヶ月分程度のものを表示させることができる。また、環境放射線データとして、中性子線量率、大気中および排水中放射能濃度を、いずれか一つまたは複数対比させながら表示することが望ましい。
【００４１】
【発明の効果】
以上説明したように、本発明の請求項１記載のモニタ装置によれば、携帯電話機に仮想マシンをインストールさせることにより、一連の時系列情報について、携帯電話機の保存データに対する補充データを取得でき、設定期間内における推移を表示させることができる。したがって、データベース検索などについて、登録ユーザが具体的な操作を必要とせずに、その推移の判読に専念することが可能になる。
【００４２】
請求項２記載のモニタ装置によれば、請求項１と同様の効果を得ることができるのは勿論のこと、環境放射線データについて、トレンド表示による視覚的な判読が可能になる。
【００４３】
請求項３記載のモニタ装置によれば、請求項１または２と同様の効果を得ることができるのは勿論のこと、気象観測データについて、トレンド表示による視覚的な判読が可能になる。
【００４４】
請求項４記載のモニタ装置によれば、請求項１〜３のいずれかと同様の効果を得ることができるのは勿論のこと、実用性の高いセキュリティ保護を保障することが可能になる。
【００４５】
請求項５記載のモニタ装置によれば、請求項１〜４のいずれかと同様の効果を得ることができるのは勿論のこと、視覚的な操作によって、迅速なモニタをさせることができるようになる。
【００４６】
請求項６記載のモニタシステムによれば、請求項１〜５のいずれかと同様の効果を得ることができるのは勿論のこと、デジタル通信ネットワークを通じて携帯電話機と接続できるようになる。
【００４７】
本発明の請求項７記載のモニタ方法によれば、携帯電話機に仮想マシンをインストールさせることにより、一連の時系列情報について、携帯電話機の保存データに対する補充データを取得でき、設定期間内における推移を表示させることができる。したがって、データベース検索などについて、登録ユーザが具体的な操作を必要とせずに、その推移の判読に専念することが可能になる。
【００４８】
請求項８記載のモニタ方法によれば、請求項７と同様の効果を得ることができるのは勿論のこと、環境放射線データについて、トレンド表示による視覚的な判読が可能になる。
【００４９】
請求項９記載のモニタ方法によれば、請求項７または８と同様の効果を得ることができるのは勿論のこと、気象観測データについて、トレンド表示による視覚的な判読が可能になる。
【００５０】
請求項１０記載のモニタ方法によれば、請求項７〜９のいずれかと同様の効果を得ることができるのは勿論のこと、実用性の高いセキュリティ保護を保障することが可能になる。
【００５１】
請求項１１記載のモニタ方法によれば、請求項７〜１０のいずれかと同様の効果を得ることができるのは勿論のこと、視覚的な操作によって、迅速なモニタをさせることができるようになる。
【００５２】
請求項１２記載のプログラムによれば、請求項７〜１１のいずれかに記載の方法をコンピューターにより実行させることができる。
【００５３】
請求項１３の記録媒体によれば、請求項７〜１１のいずれかに記載の方法をコンピューターにより実行させることができる。
【図面の簡単な説明】
【図１】本発明の実施の形態に係るモニタシステムの概略構成例を説明するための図である。
【図２】同、モニタ装置のブロック図である。
【図３】同、システムサーバにおけるユーザ登録画面の表示例を示す図である。
【図４】本発明の実施の形態に係るモニタ方法の工程例を示すもので、モニタマシンのダウンロード処理について、その工程の一例を示すフローチャートである。
【図５】同、携帯電話機におけるモニタ処理について、その工程の一例を示すフローチャートである。
【図６】同、表示処理について、その工程の一例を示すフローチャートである。
【図７】同、モニタ画面におけるエリアマップの表示例を説明するための図である。
【図８】同、グラフイメージの表示例を説明するための図である。
【符号の説明】
１０　携帯電話機
２０　通信ネットワーク
３０　ｉモードサーバ
４０　インターネット
６０　ローカルエリアネットワーク（ＬＡＮ）
７０　システムサーバ（モニタ装置）
７０ａ　付属端末
７１　モニタマシンダウンロード手段（仮想マシンダウンロード手段）
７２　ファイル転送部
７３　マシンリクエスト部
７４　ユーザ認証手段
７５　環境放射線データ配信手段（時系列情報配信手段）
７６　データリクエスト部
７７　データ転送部
７８　データ収集手段
７９　データベース（ＤＢ）検索部
８０ａ、８０ｂ　環境放射線データベースサーバ（データベース）
７４１　登録ユーザデータベース（別のデータベース）
【図１】
2004046726.tif 000003
【図２】
2004046726.tif 000004
【図３】
2004046726.tif 000005
【図４】
2004046726.tif 000006
【図５】
2004046726.tif 000007
【図６】
2004046726.tif 000008
【図７】
2004046726.tif 000009
【図８】
2004046726.tif 000010